(57)【要約】【課題】船舶の甲板に設けられた手すりに、容易且つ迅速に照明装置を設置すること。【解決手段】船舶における照明装置１３の設置構造を、船舶１０の手すり１２と照明装置１３とで構成した。手すり１２の把持部１２ａは凹部１２ｂを有し、照明装置１３は、フック１３ｂを備えた基板１３ａと、当該基板１３ａに形成されたライト１３ｄとを有する。凹部１２ｂによって手すり１２に対する照明装置１３の移動が規制されるように把持部１２ａにフック１３ｂが係止されている。手すり１２は、把持部１２ａと甲板１１との間に背当て部１８を有する。【選択図】図２
2018131128.tif 000002
【特許請求の範囲】
【請求項１】
船舶の手すりと照明装置とで構成されており、
前記手すりの把持部は、凹部又は凸部を有し、
前記照明装置は、係止部を備えた基板と、当該基板に形成されたライトとを、有し、
前記凹部又は前記凸部によって前記手すりに対する前記照明装置の移動が規制されるように、前記把持部に前記係止部が係止されていることを特徴とする船舶における照明装置の設置構造。
【請求項２】
前記手すりは、前記把持部と前記船舶の甲板との間に背当て部を有し、
前記照明装置は、前記背当て部に対応する位置に係止されていることを特徴とする請求項１に記載の船舶における照明装置の設置構造。
【発明の詳細な説明】
【技術分野】
【０００１】
本発明は、船舶の甲板に設けられた手すりに設置される照明装置の設置構造に関する。
【背景技術】
【０００２】
従来、船舶には救命艇や救命いかだ（ライフラフト）等が甲板上等に装備されている。ライフラフトが進水する進水面は、夜間の暗闇等では見えないため、非常電源からケーブルを介して給電される非常用の照明装置により照明することが規則で要求されている。従来では、ライフラフトの進水時において、照明装置に付属するクランプを甲板上の手すりにネジ締めして照明装置を取り付け、進水面の照射を実現している。船舶の照明装置としては、例えば、特許文献１のものが知られている。
【先行技術文献】
【特許文献】
【０００３】
【特許文献１】実用新案登録第３１８２０１８号公報
【発明の概要】
【発明が解決しようとする課題】
【０００４】
しかし、退船を余儀なくされるような非常事態においては一刻を争うため、クランプのネジ締めのような時間の掛かる作業を伴うことは望ましくない。一方で、固定式の照明装置を常設する場合には、耐候性、耐塩害性の保護箱や支柱等を設ける必要があるため、設備コストが高くなってしまう。
【０００５】
本発明は、このような事情に鑑みてなされたものであり、船舶の甲板に設けられた手すりに、容易且つ迅速に照明装置を設置することができる船舶における照明装置の設置構造を提供することを課題とする。
【課題を解決するための手段】
【０００６】
上記課題を解決するための手段として、請求項１に係る発明は、船舶の手すりと照明装置とで構成されており、前記手すりの把持部は、凹部又は凸部を有し、前記照明装置は、係止部を備えた基板と、当該基板に形成されたライトとを、有し、前記凹部又は前記凸部によって前記手すりに対する前記照明装置の移動が規制されるように、前記把持部に前記係止部が係止されていることを特徴とする船舶における照明装置の設置構造である。
【０００７】
かかる構成によれば、手すりの把持部に照明装置の係止部を係止させるだけで、照明装置を容易かつ迅速に設置することができる。また、手すりに凹部又は凸部があるため、照明装置が手すりの長手方向にスライド移動するのを防ぐことができる。また、非常事態を回避した後は容易に撤去することができる。
【０００８】
請求項２に係る発明は、前記手すりは、前記把持部と前記船舶の甲板との間に背当て部を有し、前記照明装置は、前記背当て部に対応する位置に係止されていることを特徴とする請求項１に記載の船舶における照明装置の設置構造である。
【０００９】
かかる構成によれば、手すりの把持部を中心に照明装置が回転するのを防ぐことができる。
【発明の効果】
【００１０】
本発明に係る船舶における照明装置の設置構造によれば、船舶の甲板に設けられた手すりに、容易且つ迅速に照明装置を設置することができる。
【図面の簡単な説明】
【００１１】
【図１】本発明の実施形態に係る船舶における照明装置の設置構造を示す平面図である。
【図２】手すりに照明装置を設置した状態を示し、（ａ）はその正面図であり、（ｂ）はその側面図である。
【図３】手すりの正面図である。
【図４】照明装置の構成を示し、（ａ）はその側面図であり、（ｂ）はその正面図である。
【図５】手すりの変形例を示す正面図である。
【発明を実施するための形態】
【００１２】
以下、本発明の実施形態を、図面を参照して説明する。
＜実施形態の構成＞
本実施形態の船舶における照明装置の設置構造（以下、「照明装置の設置構造」とも言う。）は、図１及び図２に示すように、船舶１０の甲板１１に設けられた手すり１２と、照明装置１３とで構成される。照明装置の設置構造の設置数は特に制限されないが、本実施形態では、右舷と左舷の前後に２箇所ずつ、合計４箇所に設置される場合を例示する。
【００１３】
手すり１２は、甲板１１の縁部分の略全周囲に渡って設けられている。照明装置１３は、非常電源１４から延びる給電用のケーブル１５に接続されており、船舶１０の非常時に手すり１２に設置される。照明装置１３は、通常、船舶１０の内部に配備されている。また、複数のライフラフト１７は、船舶１０において海面に投下しやすい位置に配備されている。なお、ライフラフト１７に代えて、救命艇、救助艇等であってもよい。
【００１４】
手すり１２は、図３に示すように、例えば金属製であり、甲板１１の上に所定間隔で立設された複数の支柱１２ｄの上部に、横方向に延在する把持部１２ａが形成されている。
把持部１２ａは、人が把持する部位である。把持部１２ａには、一対の凹部１２ｂが設けられている。凹部１２ｂ，１２ｂ間の距離は、後記する照明装置１３の懸垂用のフック（係止部）１３ｂ，１３ｂ間の距離と略同等になっている。一対の凹部１２ｂは照明装置１３の個数に応じて設定されているため、本実施形態では４対の凹部１２ｂ，１２ｂが形成されている。
【００１５】
また、把持部１２ａと甲板１１との間には、背当て部１８が設けられている。背当て部１８は、例えば金属製の細長い板を長方形の網目状に組合せた形状を成している。背当て部１８は、凹部１２ｂ，１２ｂに対応する位置に形成されている。背当て部１８は、後記する照明装置１３の基板１３ａが、把持部１２ａを中心に回転しないような構成になっている。なお、背当て部１８は、金属板以外に、木材や強化プラスチック等の曲がらない棒材を網目状に組合せて形成してもよい。また、手すり１２の構造の一部を以て、背当て部１８に代えることも可能である。
【００１６】
照明装置１３は、図４（ａ）及び（ｂ）に、四角形の金属板である基板１３ａの上に、金属製等の支持部１３ｃを介してライト１３ｄが取り付けられている。基板１３ａの上端には、フック１３ｂ，１３ｂが設けられている。フック１３ｂ，１３ｂは、側面視Ｕ字状を呈し、把持部１２ａの凹部１２ｂ，１２ｂにそれぞれ引っ掛けられる部位である。ライト１３ｄは、支持部１３ｃに対して回動自在になっている。
【００１７】
このような照明装置１３を、手すり１２に設置する場合には、人が、所定位置に配備された照明装置１３を手すり１２に移動させた後、図２（ａ）及び（ｂ）に示すように、フック１３ｂ，１３ｂを把持部１２ａの凹部１２ｂ，１２ｂに上方から引っ掛ける。この際、照明装置１３は、船外に露出するように係止する。これにより、照明装置１３のライト１３ｄでライフラフト１７の進水面が適正に照射することができる。一方、照明装置１３を撤去する場合は、把持部１２ａの凹部１２ｂ，１２ｂからフック１３ｂ，１３ｂを取り外す。
【００１８】
＜実施形態の効果＞
以上説明した船舶１０における照明装置の設置構造によれば、手すり１２の把持部１２ａに照明装置１３のフック１３ｂ，１３ｂを係止させるだけで、照明装置１３を容易かつ迅速に設置することができる。また、手すり１２に凹部１２ｂ，１２ｂが形成されているため、照明装置１３が手すり１２の長手方向にスライド移動するのを防ぐことができる。また、非常事態を回避した後は容易に撤去することができる。
【００１９】
また、手すり１２は、把持部１２ａと甲板１１との間に背当て部１８を有し、照明装置１３が、背当て部１８に対応する位置に係止される構成とした。この構成によれば、手すり１２の把持部１２ａを中心に照明装置１３が回転（揺動）するのを防ぐことができる。
【００２０】
＜実施形態の変形例＞
図５は、手すりの変形例を示す正面図である。図５に示す変形例のように、手すり１２の把持部１２ａに、上記の複数の凹部１２ｂ，１２ｂに代え、複数の凸部１２ｅ，１２ｅを設けてもよい。凸部１２ｅ，１２ｅは、照明装置１３のフック１３ｂ，１３ｂの間隔（図２（ａ）及び（ｂ）参照）よりもやや広い間隔で設ける。この凸部１２ｅ，１２ｅの間に、一対のフック１３ｂを掛ければ、フック１３ｂ，１３ｂが凸部１２ｅ，１２ｅ間に位置するので、照明装置１３が手すり１２の長手方向にスライド移動するのを防ぐことができる。なお、凸部１２ｅ，１２ｅを、フック１３ｂ，１３ｂの間隔よりもやや狭い間隔で設け、凸部１２ｅ，１２ｅの外側にフック１３ｂ，１３ｂを掛けるようにしても、照明装置１３のスライド移動を防ぐことができる。
【００２１】
また、把持部１２ａと甲板１１との間に設けられた背当て部１８Ａを、照明装置１３の基板１３ａよりも広い幅を有する一枚の板形状としてもよい。この板形状は、薄い鉄板や、板材、プラスチックの曲がらない板で形成する。この板形状の背当て部１８Ａによっても、上記同様に、照明装置１３が回転するのを防ぐことができる。
【００２２】
その他、具体的な構成について、本発明の主旨を逸脱しない範囲で適宜変更が可能である。照明装置１３を、防爆タイプの投光器など重量の大きな照明装置としても、上記同様の効果を奏すことができる。また、凹部１２ｂ及び凸部１２ｅの構成及び形状は上記したものに限定されるものではない。凹部１２ｂ及び凸部１２ｅは、手すり１２に対する照明装置１３の移動が規制されるように適宜設計すればよい。
【符号の説明】
【００２３】
１０  船舶
１１  甲板
１２  手すり
１２ａ  把持部
１２ｂ  凹部
１２ｄ  支柱
１２ｅ  凸部
１３  照明装置
１３ａ  基板
１３ｂ  フック（係止部）
１３ｃ  支持部
１３ｄ  ライト
１４  非常電源
１５  ケーブル
１７  ライフラフト
１８，１８Ａ  背当て部
【図１】
2018131128.tif 000003
【図２】
2018131128.tif 000004
【図３】
2018131128.tif 000005
【図４】
2018131128.tif 000006
【図５】
2018131128.tif 000007